【事件の表示】
　特願２０１１−１５６３５６号「遊技機」拒絶査定不服審判事件〔平成２３年１１月１７日出願公開、特開２０１１−２２９９６５号〕について、次のとおり審決する。
【結　論】
　本件審判の請求は、成り立たない。
【理　由】
１　手続の経緯の概要
　本願は、平成１５年１２月１６日に出願した特願２００３−４１７８８２号の一部を平成２１年４月２７日に新たな特許出願（特願２００９−１０７６１１号）とし、さらに、その一部を平成２３年７月１５日に新たな特許出願（特願２０１１−１５６３５６号）としたものであって、平成２５年９月２４日付けで拒絶の理由が通知され、同年１１月１８日に意見書及び手続補正書が提出されたところ、平成２６年６月２５日付けで拒絶査定がなされ（発送日：同年７月１日）、それに対し、同年９月２６日に拒絶査定不服審判の請求がなされると同時に手続補正書が提出されたものである。
　
２　本願発明
　平成２６年９月２６日付け手続補正による特許請求の範囲の補正は、請求項の削除を目的とする補正であり、適法な補正である。
　したがって、本願の請求項１に係る発明（以下「本願発明」という。）は、平成２６年９月２６日付け手続補正書により補正された特許請求の範囲の請求項１に記載された事項により特定される次のとおりのものである。
「複数の識別情報による第１変動表示遊技を実行可能な第１変動表示装置と、
　複数の識別情報による第２変動表示遊技を実行可能な第２変動表示装置と、を備え、
　前記第１変動表示遊技の結果態様が第１特別結果態様となった場合、又は、前記第２変動表示遊技の結果態様が第２特別結果態様となった場合に特別遊技状態が発生可能な遊技機において、
　前記第１変動表示遊技は、第１始動口へ遊技球が入賞する第１始動入賞に対応して実行可能とされ、
　前記第２変動表示遊技は、第２始動口に遊技球が入賞する第２始動入賞に対応して実行可能に構成されており、
　前記第１始動口と前記第２始動口の２つの始動口は１つの装置内に備えられ、前記第１始動口と前記第２始動口の上方には前記装置へ流入した遊技球をどちらか一方へ振り分け可能な振り分け部材が配され、
　前記振り分け部材は前記装置の外周より内側方向へ離間した位置に備わっていることを特徴とする遊技機。」
　
３　刊行物の記載
　原査定の拒絶理由において提示された、本願の遡及日前に頒布された刊行物である特開２００１−２５９１４１号公報（以下「刊行物」という。）には、図面と共に次の事項が記載されている（下線は審決にて付した。以下同じ。）。
　ア　「【特許請求の範囲】
【請求項１】
　遊技盤上に球を発射する遊技機であって、所定の遊技条件の成立に基づいて確保される実行権に基づいて予め定めた表示遊技を実行しその実行結果が所定の特賞表示態様のとき、遊技者に有利な特賞状態になるものにおいて、前記表示遊技を表示するための表示領域を成す可変表示手段と当該可変表示手段上で実行される表示遊技の実行権であって未実行のものを所定の上限数を限度に保留しかつその保留している未実行の実行権の数を表示する保留数表示手段とからなる表示装置セットを、複数セット有することを特徴とする遊技機。」
　
　イ　「【０００１】
【発明の属する技術分野】本発明は、遊技盤上に球を発射する
遊技機
　
　ウ　「【０００５】
【発明が解決しようとする課題】従来の遊技機では、保留数の上限は、規約等の関係から、４回を上限としたものに統一されていた。このため、保留数が上限に達した後は、遊技者が球を積極的に発射しなくなるので、遊技機の稼働率が低下するという問題があった。
【０００６】本発明は、以上のような従来技術が有する問題点に着目してなされたもので、始動口への球の入賞等によって得た表示遊技の実行権を多数保留することのできる遊技機を提供することを目的としている。」
　
　エ　「【００６２】
【発明の実施の形態】以下、図面に基づき本発明の各種の実施の形態を説明する。
図２に示す
【００６３】遊技盤１２は、打ち出された球が流下する場であって略垂直に立設され、その前面は所定の隙間を設けてガラス扉で覆われている。遊技盤１２とガラス扉との間の隙間は、球が移動するための空間になっている。遊技盤１２の周縁には、遊技領域を画するとともに打ち出された球を遊技盤１２の上部へ導くためのレール１６が配設されている。
【００６４】遊技盤１２の略中央部には、カラー液晶ディスプレイ（ＬＣＤ）から成る第１特別図柄表示装置３０と第２特別図柄表示装置４０が所定間隔を開けて横一列に配置されている。なお、第１特別図柄表示装置３０および第２特別図柄表示装置４０は、それぞれ独立に設けても良いし、これらを１つの表示装置として構成してもよい。
【００６５】また第１特別図柄表示装置３０および第２特別図柄表示装置４０は、液晶ディスプレイに限らず、ＴＦＴ型ディスプレイ等であってもよい。本遊技機では、
第１特別図柄表示装置３０および第２特別図柄表示装置４０上でそれぞれ
図柄合わせゲームが表示遊技として展開される
【００６６】
第１特別図柄表示装置３０は、任意の一の識別情報を表示し得る可変表示領域３１〜３３を横一列に並べて備えている
【００６７】表示遊技の実行中、可変表示領域３１〜３３上には、数字等の識別情報が上から下に向かってスクロールする様子が所定期間にわたって変動表示された後、任意の一の識別情報が各可変表示領域に順次停止表示されるようになっている。
【００６８】また
第２特別図柄表示装置４０上でも同様の表示遊技が展開表示される
表示遊技の実行結果として「７７７」など予め定めた同一の識別情報が３つ揃うと特賞表示態様となり、特賞状態に移行するようになっている
　
　オ　「【００７３】また
始動口６０は、入賞した球が下降するための誘導路６２を備えている
誘導路６２の下方は終端近傍で二手に分かれており、分岐した各終端に第１入賞口６３と第２入賞口６４が設けてある
第１入賞口６３は、第１特別図柄表示装置３０上で表示遊技を実行するための実行権を確保するための入賞口であり、第２入賞口６４は、第２特別図柄表示装置４０上で表示遊技を実行するための実行権を確保するための入賞口である
　
　カ　上記ア〜オの記載事項を総合すると、刊行物には、次の発明が記載されていると認められる（以下、「刊行物発明」という。）。
「任意の一の識別情報を表示し得る可変表示領域３１〜３３を横一列に並べて備え、図柄合わせゲームが表示遊技として展開される第１特別図柄表示装置３０と、
　任意の一の識別情報を表示し得る可変表示領域３１〜３３を横一列に並べて備え、図柄合わせゲームが表示遊技として展開される第２特別図柄表示装置４０とを備えた遊技機において、
　第１特別図柄表示装置３０上での表示遊技、又は、第２特別図柄表示装置４０上での表示遊技の実行結果として「７７７」など予め定めた同一の識別情報が３つ揃うと特賞表示態様となり、特賞状態に移行し、
　第１特別図柄表示装置３０上での表示遊技の実行は、第１入賞口６３により表示遊技の実行権が確保され、
　第２特別図柄表示装置４０上での表示遊技の実行は、第２入賞口６４により表示遊技の実行権が確保され、
　始動口６０が備える、入賞した球が下降するための誘導路６２の下方は、終端近傍で二手に分かれており、分岐した各終端に第１入賞口６３と第２入賞口６４が設けてある遊技機。」
　
４　対比
　本願発明と刊行物発明とを対比する。
　ア　刊行物発明における「任意の一の識別情報を表示し得る可変表示領域３１〜３３を横一列に並べて備え、図柄合わせゲームが表示遊技として展開される第１特別図柄表示装置３０」と、本願発明における「複数の識別情報による第１変動表示遊技を実行可能な第１変動表示装置」とを対比する。
　刊行物発明において、各「可変表示領域３１〜３３」には、任意の一の識別情報を表示し得ることから、識別情報を各可変表示領域毎に一つずつ表示できるように複数設けられていることは明らかである。
　そして、刊行物発明における「図柄合わせゲームが表示遊技として展開される」ことは、本願発明における「変動表示遊技を実行可能」であることに相当する。
　したがって、刊行物発明における「第１特別図柄表示装置３０」は、本願発明における「第１変動表示装置」に相当する。
　
　イ　上記アにおいて検討したと同様にして、刊行物発明における「任意の一の識別情報を表示し得る可変表示領域３１〜３３を横一列に並べて備え、図柄合わせゲームが表示遊技として展開される第２特別図柄表示装置４０」は、本願発明における「複数の識別情報による第２変動表示遊技を実行可能な第２変動表示装置」に相当する。
　
　ウ　刊行物発明における「第１特別図柄表示装置３０上での表示遊技、または、第２特別図柄表示装置４０上での表示遊技の実行結果として「７７７」など予め定めた同一の識別情報が３つ揃うと特賞表示態様となり、特賞状態に移行」することと、本願発明における「第１変動表示遊技の結果態様が第１特別結果態様となった場合、又は、第２変動表示遊技の結果態様が第２特別結果態様となった場合に特別遊技状態が発生可能な」こととを対比する。
　刊行物発明における「第１特別図柄表示装置３０上での表示遊技、又は、第２特別図柄表示装置４０上での表示遊技の実行結果」は、本願発明における「第１変動表示遊技の結果態様」、又は、「第２変動表示遊技の結果態様」に相当する。
　そして、刊行物発明における、第１特別図柄表示装置３０上での表示遊技、又は、第２特別図柄表示装置４０上での表示遊技の実行結果に関して、「「７７７」など予め定めた同一の識別情報が３つ揃う」ことは、本願発明における「第１特別結果態様となった場合」、又は、「第２特別結果態様となった場合」に相当する。
　また、刊行物発明における「特賞状態に移行」することは、本願発明における「特別遊技状態が発生可能」なことに相当する。
　したがって、刊行物発明における「表示遊技の実行結果として「７７７」など予め定めた同一の識別情報が３つ揃うと特賞表示態様となり、特賞状態に移行」することは、本願発明における「第１変動表示遊技の結果態様が第１特別結果態様となった場合、又は、第２変動表示遊技の結果態様が第２特別結果態様となった場合に特別遊技状態が発生可能な」ことに相当する。
　
　エ　刊行物発明における「第１特別図柄表示装置３０上での表示遊技の実行は、第１入賞口６３により表示遊技の実行権が確保され」ることと、本願発明における「第１変動表示遊技は、第１始動口へ遊技球が入賞する第１始動入賞に対応して実行可能とされ」ることとを対比する。
　刊行物発明における「第１入賞口６３により表示遊技の実行権が確保され」ることは、第１入賞口６３に遊技球が入賞することにより表示遊技が実行可能とされることを意味する。
　したがって、刊行物発明における「第１特別図柄表示装置３０上での表示遊技の実行は、第１入賞口６３により表示遊技の実行権が確保され」ることは、本願発明における「第１変動表示遊技は、第１始動口へ遊技球が入賞する第１始動入賞に対応して実行可能とされ」ることに相当する。
　
　オ　刊行物発明における「第２特別図柄表示装置４０上での表示遊技の実行は、第２入賞口６４により表示遊技の実行権が確保され」ることとは、上記エにおいて検討したと同様に、本願発明における「第２変動表示遊技は、第２始動口に遊技球が入賞する第２始動入賞に対応して実行可能に構成され」ることに相当する。
　
　カ　刊行物発明における「始動口６０が備える、入賞した球が下降するための誘導路６２の下方は、終端近傍で二手に分かれており、分岐した各終端に第１入賞口６３と第２入賞口６４が設けてある」ことと、本願発明における「第１始動口と第２始動口の２つの始動口は１つの装置内に備えられ、第１始動口と第２始動口の上方には装置へ流入した遊技球をどちらか一方へ振り分け可能な振り分け部材が配され」ていることとを対比する。
　刊行物発明における「第１入賞口６３」、「第２入賞口６４」は、上記エ、オにおいて検討したように、それぞれ、本願発明における「第１始動口」、「第２始動口」に相当する。
　そして、刊行物発明における「始動口６０が備える」「誘導路６２」には、「分岐した各終端」に「第１入賞口６３と第２入賞口６４」が設けられている。一方、本願発明における「装置」には、内に「第１始動口と第２始動口の２つの始動口」が設けられている。
　また、刊行物発明における「第１入賞口６３と第２入賞口６４」とは、誘導路６２の「分岐した各終端」に設けられるものであり、「分岐した各終端」は誘導路６２の空間内に含まれるものであるから、結局、「第１入賞口６３と第２入賞口６４」とは、始動口６０内に設けられたものである。
　したがって、刊行物発明における「始動口６０」は、本願発明における「装置」に相当する。
　
　また、刊行物発明において、「誘導路６２の下方」は、「二手に分かれ」、「分岐」し、「分岐した各終端に第１入賞口６３と第２入賞口６４が設けてある」ことから、「誘導路６２の下方」の「二手に分かれ分岐」した部位は、誘導路６２に流入した遊技球を第１入賞口６３、あるいは、第２入賞口６４に「振り分けるための部材」に相当し、また、誘導路６２が「入賞した球が下降するための」ものであることから、「二手に分かれ分岐」した部位が誘導路６２の終端に設けられた第１入賞口６３、及び、第２入賞口６４の上方にあることは、当業者にとって自明である。
　よって、刊行物発明における遊技機は、本願発明における「第１始動口と第２始動口の上方には装置へ流入した遊技球をどちらか一方へ振り分け可能な振り分け部材」に相当する構成を具備するものである。
　
　キ　上記ア〜カより、本願発明と刊行物発明とは、
「複数の識別情報による第１変動表示遊技を実行可能な第１変動表示装置と、
　複数の識別情報による第２変動表示遊技を実行可能な第２変動表示装置と、を備え、
　前記第１変動表示遊技の結果態様が第１特別結果態様となった場合、又は、前記第２変動表示遊技の結果態様が第２特別結果態様となった場合に特別遊技状態が発生可能な遊技機において、
　前記第１変動表示遊技は、第１始動口へ遊技球が入賞する第１始動入賞に対応して実行可能とされ、
　前記第２変動表示遊技は、第２始動口に遊技球が入賞する第２始動入賞に対応して実行可能に構成されており、
　前記第１始動口と前記第２始動口の２つの始動口は１つの装置内に備えられ、前記第１始動口と前記第２始動口の上方には前記装置へ流入した遊技球をどちらか一方へ振り分け可能な振り分け部材が配された遊技機。」
　の点で一致し、以下の点で相違する。
　
［相違点］
　振り分け部材の位置について、
　本願発明は、第１始動口と第２始動口が備えられた装置の外周より内側方向へ離間した位置であるのに対して、
　刊行物発明は、当該発明特定事項を具備しない点。
　
５　当審の判断
（１）上記相違点について検討する。
　遊技機の技術分野において、内部に２つの入賞口及び振り分け部材を設けた一つの装置において、振り分け部材を装置の内側方向へ、装置と離間させて別体として備えることは、本願の遡及日前に周知の技術事項である（例えば、前置報告書において提示された特開２００３−１８０９９９号公報の【０００８】、【０００９】、【００３０】、【００３７】、及び、【図５】には、「役物３１０の下部には、幾つかの障害（ここでは釘３１５）を設け、確変穴３１３、通常穴３１４のいずれかに遊技球が入賞するような構造となっている。」こと、すなわち、役物３１０の内側方向へ、役物３１０と離間させて障害を設けることが記載され、同じく、前置報告書において提示された実願昭５９−７２４３９号（実開昭６０−１８４５８１号）のマイクロフィルムの第３図には、振子型チャッカー内に可動翼５、６の開閉状態に変化を与えない球受口１４Ａ’、１４Ｃ’と、可動翼５、６を閉じる球受口１４Ｂ’とを設け、各球受口１４Ａ’、１４Ｂ’、１４Ｃ’へ遊技球を振り分ける障害ピン１３Ａ、１３Ｂ、１３Ｃを振子型チャッカーの内側方向へ、振子型チャッカーと離間させて別体として備えたことが記載されている。）。
　そして、遊技機の技術分野において、振り分け部材を装置の内側方向へ、装置と離間させて別体として設けるか、あるいは、装置と一体に設けるかは、当業者が必要に応じて決定し得た技術事項である。
　したがって、刊行物発明において、遊技機の始動口６０の振り分け部材として、上記周知の技術事項を適用し、上記相違点に係る本願発明の構成とするこは、当業者が容易になし得たものである。
　また、本願発明により奏される効果は、当業者が、刊行物発明及び周知の技術事項から予測し得る効果の範囲内のものであって、格別のものではない。
　
（２）請求人の主張について
　請求人は、平成２６年９月２６日付けの審判請求書において、「引用文献１には、補正後の本願請求項１の発明の特徴である「第１始動口と第２始動口の上方には当該装置へ流入した遊技球をどちらか一方へ振り分け可能な振り分け部材が配されている」ことについては記載されておりません。従って、本願発明が有する上述したような効果も奏することができません。」（第３頁第１１〜２２行）と主張する。
　しかしながら、刊行物発明において認定した、【図２】に示された始動口６０が誘導路６２を備える態様の遊技機において、「装置へ流入した遊技球をどちらか一方へ振り分け可能な振り分け部材が配されている」ことは、前記４　カにおいて検討したように、刊行物発明における「始動口６０が備える、入賞した球が下降するための誘導路６２の下方は、終端近傍で二手に分かれており、分岐した各終端に第１入賞口６３と第２入賞口６４が設けてある」構成より導き出せるものである。
　したがって、請求人の上記主張は採用できない。
　
（３）小括
　上記（１）〜（２）において検討したように、本願発明は、当業者が刊行物発明及び周知の技術事項に基づいて容易に発明をすることができたものである。
　
６　むすび
　以上のとおりであるから、本願発明は、特許法第２９条第２項の規定により特許を受けることができない。
　したがって、本願は拒絶すべきものである。
　
　よって、結論のとおり審決する。